(57)【特許請求の範囲】
【請求項１】
炊飯器本体と、
前記炊飯器本体の上部開口部を覆う蓋体と、
前記蓋体内部に設けられた基板室と、
前記基板室内に配設される液晶パネルと、
前記基板室内に配設され、前記液晶パネルを駆動制御する表示制御基板と、を備え、
前記表示制御基板の各種素子が設けられた側に対し、液晶ホルダーを介して前記液晶パネルを設置し、
前記液晶ホルダーと前記表示制御基板とに挟まれた空間に乾燥剤を配置した
ことを特徴とする炊飯器。
【請求項２】
前記液晶ホルダーに、前記乾燥剤を一方向からは乗り越えさせるが他方向からは係止させる係止爪を設け、前記係止爪により前記乾燥剤を保持した
ことを特徴とする請求項１記載の炊飯器。
【請求項３】
保持された状態の前記乾燥剤の一面とこれに対向する前記基板室の側壁との距離が、前記乾燥剤が前記一面の方向に脱落しない長さに設定されている
ことを特徴とする請求項１又は請求項２に記載の炊飯器。
【請求項４】
前記乾燥剤を、前記液晶パネルの端子側に配置した
ことを特徴とする請求項１〜請求項３のいずれか一項に記載の炊飯器。
【請求項５】
前記炊飯器本体内に着脱可能に収容される内釜と、
前記内釜を加熱する加熱手段と、を備え、
前記乾燥剤を、前記加熱手段による加熱時に比較的温度の低い場所である前記炊飯器本体の周方向外側に配置した
ことを特徴とする請求項１〜請求項４のいずれか一項に記載の炊飯器。
【請求項６】
前記基板室内部と外部とを連通させる連通路部材を設け、
前記乾燥剤を、前記連通路部材の近傍に配置した
ことを特徴とする請求項１〜請求項５のいずれか一項に記載の炊飯器。
【請求項７】
複数の前記乾燥剤を一体的に組み合わせて乾燥剤ユニットを構成し、前記乾燥剤ユニットを、前記液晶ホルダーと前記表示制御基板とに挟まれた空間に配置した
ことを特徴とする請求項１〜請求項６のいずれか一項に記載の炊飯器。
【発明の詳細な説明】
【技術分野】
【０００１】
本発明は、蓋体内部に液晶パネルを備えた炊飯器に関する。
【背景技術】
【０００２】
従来の炊飯器として、「外蓋表面を覆う操作板と、炊飯器の制御内容を表示する液晶と前記操作板と前記液晶表面で密閉空間を構成するシール材とを備え、前記密閉空間に吸湿材を設けた」ものが提案されている（例えば、特許文献１参照）。
【先行技術文献】
【特許文献】
【０００３】
【特許文献１】特開２０００−２３７０４３号公報（第２頁−第３頁、図１）
【発明の概要】
【発明が解決しようとする課題】
【０００４】
特許文献１に記載の炊飯器によれば、液晶パネルの上面に吸湿材（乾燥剤）を載置している。このため、吸湿後の乾燥剤が加熱されるなどして水蒸気が乾燥剤外に排出されると、液晶パネルはその水蒸気の影響を受けやすく、液晶パネルに結露が生じるおそれがあった。
【０００５】
本発明は、上記のような課題を解決するためになされたもので、乾燥剤の水蒸気が発散した場合でも、液晶パネルが結露するのを抑制できる炊飯器を提供するものである。
【課題を解決するための手段】
【０００６】
本発明に係る炊飯器は、炊飯器本体と、前記炊飯器本体の上部開口部を覆う蓋体と、前記蓋体内部に設けられた基板室と、前記基板室内に配設される液晶パネルと、前記基板室内に配設され、前記液晶パネルを駆動制御する表示制御基板と、を備え、前記表示制御基板の各種素子が設けられた側に対し、液晶ホルダーを介して前記液晶パネルを設置し、前記液晶ホルダーと前記表示制御基板とに挟まれた空間に乾燥剤を配置したものである。
【発明の効果】
【０００７】
本発明に係る炊飯器は、表示制御基板の各種素子が設けられた側に対し、液晶ホルダーを介して液晶パネルを設置して、液晶ホルダーと表示制御基板とで挟まれた空間に乾燥剤を配置した。このため、基板室内の湿気を乾燥剤にて吸湿して基板室内の結露を抑制できるとともに、乾燥剤の水蒸気が発散した場合にも、発散した水蒸気により液晶パネルが結露するのを抑制できる。
【図面の簡単な説明】
【０００８】
【図１】実施の形態１に係る炊飯器の外観斜視図である。
【図２】実施の形態１に係る炊飯器の平面図であり、一部、蓋体内部を示している。
【図３】実施の形態１に係る蓋体及びこれに収容される主要部材の分解斜視図である。
【図４】実施の形態１に係るチューブを説明する要部断面模式図である。
【図５】実施の形態１に係る乾燥剤の取り付け状態を説明する図である。
【図６】実施の形態１に係る乾燥剤の保持構造を説明する要部断面模式図である。
【図７】実施の形態２に係る乾燥剤の配置位置を説明する基板室の斜視図である。
【図８】実施の形態３に係る乾燥剤ユニットの斜視図である。
【図９】実施の形態３に係る乾燥剤ユニットを液晶ホルダーに取り付けた状態の斜視図である。
【発明を実施するための形態】
【０００９】
実施の形態１．
図１は実施の形態１に係る炊飯器１００の外観斜視図、図２は炊飯器１００の平面図、図３は蓋体２及びこれに収容される主要部材の分解斜視図である。
炊飯器１００は、内釜（図示せず）を収容する炊飯器本体１と、炊飯器本体１の上面開口を覆う蓋体２とを備えている。炊飯器本体１の内部であって、内釜の底部には、内釜を加熱する電磁誘導コイルなどの加熱手段（図示せず）が設けられている。なお、内釜の底部を加熱する加熱手段の他に、内釜の側面や内釜の上面から加熱する加熱手段をさらに加えてもよい。
【００１０】
蓋体２は、炊飯器本体１の背面側に設けられたヒンジ部６により、開閉自在に支持されている。また、炊飯器本体の前面には押圧自在の蓋開閉ボタン３が設けられている。蓋体２が閉じられた状態で蓋開閉ボタン３を押圧すると、蓋体２と炊飯器本体１との前面側におけるロックが解除されて、蓋体２をヒンジ部６により回動させて開けることができる。
また、蓋体２の上面には、加熱により生じる蒸気を排出するための蒸気孔４が開口している。また、この蒸気孔４の周囲を覆う蒸気孔カバー５が取り付けられている。
【００１１】
蓋体２の上面手前側には、電源ボタン等の各種操作スイッチを設けた操作パネル１６が設けられている。また、蓋体２には表示窓１１が設けられており、この表示窓１１を介して蓋体２の内部に設けられた液晶パネル１３（後述する）を視認することができるようになっている。
【００１２】
蓋体２は、蓋本体２ａと、蓋本体２ａの上部を覆う蓋カバー２ｂとを備えている。蓋本体２ａには、蓋本体２ａの上面の一部を凹状にして構成された基板室３１が設けられている。基板室３１には、液晶パネル１３と、液晶パネル１３を下側から保持する液晶ホルダー１４と、液晶パネル１３を駆動制御する表示制御基板１５が収容されている。
【００１３】
液晶ホルダー１４は、例えば樹脂等で構成されていて、液晶パネル１３の外周及び底面を保持するとともに、表示制御基板１５に液晶パネル１３を取り付ける機能を有する。すなわち、液晶パネル１３は、液晶ホルダー１４を介して表示制御基板１５に取り付けられている。また、蓋カバー２ｂの下面と液晶ホルダー１４の上部周縁部とで狭持される液晶シール部１２が設けられている。液晶シール部１２は、例えばシリコンゴムのような弾性材からなるパッキンであり、液晶パネル１３の上面と蓋カバー２ｂの下面との間に水等が浸入するのを防ぐために設けられている。
【００１４】
表示制御基板１５は、操作パネル１６からの入力や加熱制御を行う加熱制御手段（図示せず）からの指示に基づいて、液晶パネル１３の表示を制御する。表示制御基板１５は、上面に素子が位置し、下面に配線パターンが位置するような向きで、基板室３１内に配置される。
【００１５】
表示制御基板１５のコネクタ（図示せず）には、フラットケーブル３３が接続される。フラットケーブル３３は、炊飯器本体１に設けられた加熱制御手段（図示せず）と表示制御基板１５とを電気的に接続するためのケーブルである。
【００１６】
チューブ３４は、基板室３１内と外部とを連通させるための部材であり、例えばシリコン製のチューブで構成される。チューブ３４は、本発明の連通路部材に相当する。本実施の形態では、チューブ３４の一端は基板室３１内に配置され、他端は加熱制御手段（図示せず）が設けられた空間内に配置されている。
【００１７】
図４は、実施の形態１に係るチューブ３４を説明する要部断面模式図である。図３、図４に示すように、チューブ３４は、基板室３１の底部に設けられた配線穴３５を貫通するようにして取り付けられている。組み立て状態において、配線穴３５におけるチューブ３４の周囲は、フラットケーブル３３とともにパッキン（図示せず）により隙間なく覆われ、基板室３１の密閉度が低下しないように構成されている。
【００１８】
また、基板室３１の上部外周縁には溝３１ａが形成されていて、この溝３１ａに基板室シール部３２が設けられている。基板室シール部３２は、例えばシリコンゴムのような弾性材からなるパッキンであり、蓋カバー２ｂの下面と基板室３１の上部外周部との隙間から基板室３１内に水等が浸入するのを防ぐために設けられている。
【００１９】
さらに、基板室３１内には、吸湿機能を有する材料で構成された複数の乾燥剤２０が設けられている。図５は、乾燥剤２０の取り付け状態を説明する斜視図、図６は、実施の形態１に係る乾燥剤２０の保持構造を説明する要部断面模式図である。
図３、図５、図６に示すように、乾燥剤２０は、液晶ホルダー１４の下面と、表示制御基板１５の上面（すなわち、表示制御基板１５の素子が設けられた側の面）とで狭持されている。また、本実施の形態１では、液晶ホルダー１４に乾燥剤２０を保持するための乾燥剤保持部２１が設けられている。乾燥剤保持部２１は、弾性力を備えた係止爪２１ａを備えている。係止爪２１ａは、自身の弾性力によりたわんで一方向からは乾燥剤２０に乗り越えさせることが可能であるが、他方向からは乾燥剤２０を係止する。この係止爪２１ａに乾燥剤２０を係止させることにより、液晶ホルダー１４の下面から乾燥剤２０が脱落するのを抑制している。また、本実施の形態１では、係止爪２１ａの係止方向とは直交する方向に乾燥剤２０を保持する保持枠２１ｂを備えている。
【００２０】
さらに、図６に示すように乾燥剤２０が保持された状態において、乾燥剤２０の図面右側の面と、この面に対向する基板室３１の側壁との距離Ｘは、乾燥剤２０が脱落しない長さに設定されている。このため、仮に炊飯器１００が揺れるなどして表示制御基板１５の上面から乾燥剤２０が脱落しようとしても、基板室３１の側壁に阻まれて乾燥剤２０が表示制御基板１５の下側に脱落しないようになっている。
【００２１】
次に、蓋体２の基板室３１に、各種部材を組み込む際の手順を説明する。
まず、液晶パネル１３は、液晶ホルダー１４を介して表示制御基板１５の上面（素子が設けられた側の面）に取り付けられているものとする。この状態で、液晶ホルダー１４の下面と表示制御基板１５の上面に、乾燥剤２０を挿入する。このとき、乾燥剤保持部２１の係止爪２１ａに乾燥剤２０を係止させるようにし、また、保持枠２１ｂ内に乾燥剤２０が保持されるようにする。このようにすることで、液晶ホルダー１４の下面に乾燥剤２０が固定される。この乾燥剤２０を組み付けた表示制御基板１５を、基板室３１の内部に載置する。そして、表示制御基板１５のコネクタに、フラットケーブル３３を接続する。その後、蓋本体２ａの上面を蓋カバー２ｂで閉塞すると、チューブ３４による連通部を除き、基板室シール部３２により基板室３１内がほぼ密閉され、空気の流れがほとんど生じない状態となる。
【００２２】
このようにほぼ密閉された基板室３１内において、液晶ホルダー１４の下面と表示制御基板１５の上面との間に狭持された乾燥剤２０が基板室３１内の吸湿を行うため、液晶パネル１３等に結露が生じるのを抑制することができる。
【００２３】
また、炊飯時には、内釜を加熱する加熱手段の熱が基板室３１内に作用し、乾燥剤２０も加熱されうる。このとき、乾燥剤２０が吸湿していた水蒸気が乾燥剤２０の外に排出されうるが、乾燥剤２０は液晶パネル１３を下側から保持する液晶ホルダー１４のさらに下側に設けられているので、乾燥剤２０から蒸発した水蒸気により液晶パネル１３が結露するのを抑制できる。
【００２４】
さらに、本実施の形態１ではチューブ３４を設けているので、加熱により乾燥剤２０の外に排出された水蒸気は、チューブ３４を通って基板室３１の外部に排出される。このため、基板室３１内の結露をさらに抑制することができる。
【００２５】
以上のように、本実施の形態１では、液晶パネル１３を下側から保持する液晶ホルダー１４と表示制御基板１５とに挟まれた空間に乾燥剤２０を配置したので、乾燥剤２０が加熱されて乾燥剤２０内から水蒸気が放出された場合でも、液晶パネル１３の結露を抑制することができる。
【００２６】
また、乾燥剤２０を、表示制御基板１５の各種素子が設けられた面（上面）と液晶ホルダー１４の下面とで挟持したので、表示制御基板１５の配線パターン側の面（下面）にはパターン形成上の制約を加えることがない。すなわち、液晶パネルから離れた位置に乾燥剤を配置しようとすると、表示制御基板の下側に配置することも考えられるが、そうなると表示制御基板の配線パターンに乾燥剤が触れないよう、乾燥剤が配置される位置を避けて配線パターンを設ける必要があった。しかし、本実施の形態１によれば、乾燥剤２０を表示制御基板１５の各種素子が設けられた面（上面）配置するので、乾燥剤２０の配置位置により表示制御基板１５の配線パターンに制約を加えることもない。
【００２７】
また、液晶ホルダー１４に、乾燥剤２０を一方向からは乗り越えさせるが他方向からは係止させる係止爪２１ａを設け、係止爪２１ａにより乾燥剤２０を保持した。このため、組み付け時には、係止爪２１ａを容易に乗り越えさせて乾燥剤２０を液晶ホルダー１４の下面に挿入でき、さらに、乾燥剤２０を安定的に保持することができる。
【００２８】
また、乾燥剤２０が保持された状態において、乾燥剤２０の一面と、この面に対向する基板室３１の側壁との距離は、乾燥剤２０が脱落しない長さに設定されている。このため、仮に表示制御基板１５の上面から乾燥剤２０が脱落しようとしても、脱落を抑制できる。
【００２９】
また、液晶ホルダー１４の外形を表示制御基板１５の外形よりも小さくし、組み付け状態において乾燥剤２０が液晶ホルダー１４の外周端部よりも外側に飛び出す位置に乾燥剤２０を配置しておけば、組み付けたときに乾燥剤２０の有無を基板室３１の外から視認でき、乾燥剤２０の入れ忘れ防止を図ることができる。
【００３０】
実施の形態２．
本実施の形態２では、乾燥剤２０の配置位置の例を説明する。図７は、実施の形態２に係る乾燥剤２０の配置位置を説明する基板室３１の斜視図である。図７において、Ｐ１〜Ｐ３は、それぞれ、乾燥剤２０の配置位置の例を示している。なお、Ｐ１〜Ｐ３のいずれの位置に配置する場合でも、乾燥剤２０は実施の形態１と同様に液晶ホルダー１４の下面と表示制御基板１５の上面との間に狭持されるものとする。また、本実施の形態２において、実施の形態１と同一又は対応する構成には、同一の符号を付す。
【００３１】
Ｐ１は、組み付け時において、基板室３１内で液晶パネル１３の端子（図示せず）が配置される位置を模式的に表している。この液晶パネル１３の端子が配置されるＰ１の近傍に、乾燥剤２０を配置する。液晶パネル１３の端子には配線が行われるため、この配線部分において液晶パネル１３上方の密閉性が若干低下しうるが、乾燥剤２０を配置することで配線部分から水蒸気が入って液晶パネル１３に結露が生じるのを抑制できる。
【００３２】
Ｐ２は、基板室３１内において、炊飯器本体１の周方向外側の位置を模式的に表している。通常、有底円筒状の内釜を内釜の底面に設けた加熱手段により加熱すると、炊飯器本体１の中心部の温度が最も高く、周方向外側に行くにつれて徐々に温度が低くなる。この、加熱手段による加熱時に比較的温度の低い場所であるＰ２の近傍に、乾燥剤２０を配置する。比較的温度の低い場所に乾燥剤２０を配置することで、乾燥剤２０が過度に加熱されることにより乾燥剤２０から水蒸気が放出されて液晶パネル１３が結露するのを抑制できる。
【００３３】
Ｐ３は、基板室３１において、チューブ３４の端部が配置される位置を模式的に表している。このチューブ３４の端子が配置されるＰ３の近傍に、乾燥剤２０を配置する。チューブ３４は基板室３１内と外部とを連通させているため、この位置に乾燥剤２０を配置することで効率よく吸湿でき、基板室３１の内部に結露が生じるのを抑制できる。
【００３４】
なお、本実施の形態２で説明したＰ１〜Ｐ３のうち２以上の位置に乾燥剤２０を設けてもよく、このようにしても上記した効果を得ることができる。
【００３５】
実施の形態３．
図８は実施の形態３に係る乾燥剤ユニット４０の斜視図、図９は乾燥剤ユニット４０を液晶ホルダー１４に取り付けた状態の斜視図である。本実施の形態３では、実施の形態１との相違点を中心に説明し、実施の形態１と同一又は対応する構成には同一の符号を付す。
【００３６】
乾燥剤ユニット４０は、複数の乾燥剤２０を、連結部材４１により一体化して構成されている。連結部材４１は、例えば樹脂等で構成されていて、複数の乾燥剤２０を１つの組み立て部材として扱えるように、乾燥剤２０を保持している。なお、隣り合う乾燥剤２０同士の間には、所定の隙間を設けるのが好ましい。このようにすることで、乾燥剤２０の露出する表面積を増やすことができ、吸湿効果を高めることができる。
【００３７】
基板室３１に各種部材を組み込む際には、予め、複数の乾燥剤２０を連結部材４１により一体化し、乾燥剤ユニット４０を構成しておく。この乾燥剤ユニット４０の組み立ては、例えば乾燥室など、乾燥剤２０の吸湿性能を低下させることがないような環境で行うことができる。そして、図９に示すように、乾燥剤ユニット４０を、液晶ホルダー１４の下面と表示制御基板１５の上面との間に狭持させる。なお、図８、図９では実施の形態１で示した乾燥剤保持部２１の係止爪２１ａを設けていないが、実施の形態１と同様に係止爪２１ａを設けてもよい。
【００３８】
以上のように、本実施の形態３によれば、複数の乾燥剤２０を一体的に組み合わせて乾燥剤ユニット４０を構成した。このため、乾燥室等で予め乾燥剤ユニット４０を組み立てておき、炊飯器１００を組み立てる際には乾燥剤ユニット４０ごと液晶ホルダー１４と表示制御基板１５との間に狭持させることができる。したがって、炊飯器１００の組み立て時における外気の影響により乾燥剤２０の吸湿性能が低下するのを抑制できる。
【符号の説明】
【００３９】
１  炊飯器本体、２  蓋体、２ａ  蓋本体、２ｂ  蓋カバー、３  蓋開閉ボタン、４  蒸気孔、５  蒸気孔カバー、６  ヒンジ部、１１  表示窓、１２  液晶シール部、１３  液晶パネル、１４  液晶ホルダー、１５  表示制御基板、１６  操作パネル、２０  乾燥剤、２１  乾燥剤保持部、２１ａ  係止爪、２１ｂ  保持枠、３１  基板室、３１ａ  溝、３２  基板室シール部、３３  フラットケーブル、３４  チューブ、３５  配線穴、４０  乾燥剤ユニット、４１  連結部材、１００  炊飯器。
【図１】
0005452390.tif 000002
【図２】
0005452390.tif 000003
【図３】
0005452390.tif 000004
【図４】
0005452390.tif 000005
【図５】
0005452390.tif 000006
【図６】
0005452390.tif 000007
【図７】
0005452390.tif 000008
【図８】
0005452390.tif 000009
【図９】
0005452390.tif 000010